(57)【要約】【課題】  樹木による電線・ケーブルの摩耗をより効果的に防止することができる保護カバーを提供する。【解決手段】  導体を絶縁体で被覆した電線・ケーブル２に被せて、該電線・ケーブル２が樹木と接触して摩耗することを防ぐための略筒状の保護カバー１のカバー外周面４に、該カバー外周面４に接触して擦り合う樹木を研磨するための研磨機能を持たせた。【選択図】  図１
2005080390.tif 000002
【特許請求の範囲】
【請求項１】
導体を絶縁体で被覆した電線・ケーブルに被せて、該電線・ケーブルが樹木と接触して摩耗することを防ぐための略筒状の保護カバーであって、
カバー外周面に、接触して擦り合う樹木を研磨するための研磨機能を持たせたことを特徴とする保護カバー。
【請求項２】
前記研磨機能を、前記カバー外周面上の研磨材粒子によって持たせたことを特徴とする請求項１に記載の保護カバー。
【請求項３】
前記研磨機能を持たせたカバー外周面に、凸部又は／及び凹部を形成したことを特徴とする請求項２に記載の保護カバー。
【発明の詳細な説明】
【技術分野】
【０００１】
本発明は、電線・ケーブルが樹木の接触によって摩耗することを防止するために電線・ケーブルに被せる保護カバーに関する。
【背景技術】
【０００２】
山間部等の樹木の多い地区においては、配電用電線など導体を絶縁体で被覆した電線・ケーブルが樹木に隣接して布設されていることがある。このように樹木に隣接して布設された電線・ケーブルの表面に樹木が接触し、接触した樹木が風に煽られる等して電線・ケーブルの表面を擦ると、これによって絶縁体が摩耗して絶縁破壊を招来するおそれがある。
【０００３】
そこで、電線・ケーブルが樹木によって擦られて摩耗することを防止するため、電線・ケーブルの樹木に接触するおそれのある部分に絶縁性の高い合成樹脂で形成された円筒状の保護カバーを被せることが行われている（例えば、特許文献１、特許文献２参照。）。
【特許文献１】特開平１１−３５５９３２号公報
【特許文献２】登録実用新案第３０５７８４６号公報
【発明の開示】
【発明が解決しようとする課題】
【０００４】
上記のように電線・ケーブルの樹木に接触するおそれがある部分に保護カバーを被せておけば、樹木によって擦られても先ず保護カバーが摩耗する。したがって、ある程度まで保護カバーの摩耗が進んだときにこれを交換することにより、電線・ケーブルの摩耗を防止することができる。
【０００５】
しかしながら、保護カバーの摩耗を常時監視することは実際には困難である。したがって、定期的な見回りにより、保護カバーを交換するか否かを判断することとなるが、このような定期的な見回りでは保護カバーの摩耗の発見が遅れ、摩耗が進んで保護カバーが破壊され、電線・ケーブルの摩耗にまで至ることも考えられる。
【０００６】
このような問題を解決すべく、上記特許文献１に記載の保護カバーは、色相が異なる外層と内層の２層で構成し、内層をその一部が複数箇所外層中に突出するように形成している。このような構成により、保護カバーの外層が摩耗すると、これとは色相の異なる内層は、その突出部分が先ず露出するので、早くから保護カバーの摩耗を発見することができるようになっている。しかしながら、このような保護カバーにあっても、例えば、見回りが不十分であったり、或いは何らかの原因により急激に保護カバーの摩耗が進んでしまいその発見が遅くなってしまうような場合も考えられ、保護カバーの摩耗が進んで破壊され、電線・ケーブルの摩耗にまで至る事態を生じる可能性がある。
【０００７】
このように、従来の保護カバーでは、摩耗することが前提となっている以上、摩耗が進んで保護カバーが破壊され電線・ケーブルが摩耗して、絶縁破壊にまで至る可能性があった。
【０００８】
本発明は、樹木による電線・ケーブルの摩耗をより効果的に防止することができる保護カバーを提供することを課題とする。
【課題を解決するための手段】
【０００９】
上記課題を解決するために、請求項１に記載の発明に係る保護カバーは、導体を絶縁体で被覆した電線・ケーブルに被せて、該電線・ケーブルが樹木と接触して摩耗することを防ぐための略筒状の保護カバーであって、カバー外周面に、接触して擦り合う樹木を研磨するための研磨機能を持たせたことを特徴とする。
【００１０】
請求項２に記載の発明に係る保護カバーは、前記研磨機能を、前記カバー外周面上の研磨材粒子によって持たせたことを特徴とする。
【００１１】
請求項３に記載の発明に係る保護カバーは、前記研磨機能を持たせたカバー外周面に、凸部又は／及び凹部を形成したことを特徴とする。
【発明の効果】
【００１２】
請求項１に記載の発明によれば、保護カバーのカバー外周面は研磨機能を有しているので、かかるカバー外周面に接触した樹木が風に煽られる等してカバー外周面と擦り合っても、該樹木はカバー外周面によって研磨されて削られるので、樹木によってカバー外周面が擦られることによる保護カバーの摩耗を抑えることができる。したがって、摩耗が進んで保護カバーが破壊されることを効果的に防止することができるので、かかる保護カバーを被せた電線・ケーブルにあっては、樹木による摩耗をより効果的に防止することができる。  
また、保護カバーの摩耗を抑えることができるので、その交換の頻度が低くなり、交換コストを抑えることができる。
【００１３】
請求項２に記載の発明によれば、前記カバー外周面上の研磨材粒子により、カバー外周面に接触して擦り合う樹木が研磨されて削られるので、請求項１に記載の効果と同様の効果を得ることができる。
【００１４】
請求項３に記載の発明によれば、研磨機能を持たせたカバー外周面に、凸部又は／及び凹部を形成することにより、かかるカバー外周面に接触して擦り合う樹木が、より効果的に研磨されて削られる。したがって、樹木による保護カバーの摩耗を一層効果的に抑えることができるので、かかる保護カバーを被せた電線・ケーブルの樹木による摩耗をより一層効果的に防止することができる。また、保護カバーの交換コストも一層低減させることができる。
【発明を実施するための最良の形態】
【００１５】
以下本発明の実施の形態について図面を参照して詳細に説明する。  
図１は電線・ケーブルに被せられた本発明に係る保護カバーの実施の形態の一例を示す斜視図である。
【００１６】
図において、符号１は本例の保護カバー、符号２は導体が絶縁体で被覆された電線・ケーブルを示している。保護カバー１は、絶縁性の高い合成樹脂で所定の長さに形成され、電線・ケーブル２を挿通するための中空部３を有する円筒状に形成されている。電線・ケーブル２は、例えば配電用電線であり、このような電線・ケーブル２の樹木が接触するおそれがある部分に、保護カバー１が被せられている。より具体的には、保護カバー１は、その中空部３に電線・ケーブル２を挿通することにより、該電線・ケーブル２に被せられている。
【００１７】
保護カバー１のカバー外周面４には、該カバー外周面４に接触して擦り合う樹木を研磨するための研磨機能を持たせている。この研磨機能は、カバー外周面４上の研磨材粒子によって得ることができる。これについて詳しく説明すると、研磨材粒子は、例えば、紙ヤスリ等の研磨材粒子として用いられる金剛砂、ガラス粉、珪石の粉等であり、かかる研磨材粒子を、保護カバー１を形成する合成樹脂中に練り込んだり、或いは、これらの研磨材粒子をカバー外周面４に接着剤によって貼り付けたりすることにより、保護カバー１を形成する。そして、このようにして形成された保護カバー１のカバー外周面４上には研磨材粒子が存在しており、かかる研磨材粒子により前記研磨機能を得ることができる。すなわち、研磨材粒子によってヤスリのような状態にカバー外周面４を形成してこれに研磨機能を持たせる。なお、カバー外周面４に前記研磨機能を持たせるものとして、上記のようにカバー外周面４上の研磨材粒子を挙げたが、前記研磨機能は、本発明においてはこのようなものに限られるものではなく、カバー外周面４に接触して擦り合う樹木を研磨することができるものであればどのようなものであってもよい。
【００１８】
以上のような本例の保護カバー１によれば、カバー外周面４に樹木が接触し、風などで煽られて擦り合った場合、研磨機能を有するカバー外周面４（より詳しく言えばカバー外周面４上の研磨材粒子）によって樹木が研磨されて削られる。すなわち、樹木によって保護カバー１のカバー外周面４が削られていくのではなく、カバー外周面４によって樹木が削られていく。これにより、樹木によってカバー外周面４が擦られることによる保護カバー１の摩耗を抑えることができるので、摩耗が進んで保護カバー１が破壊されることを効果的に防止することができる。したがって、かかる保護カバー１を被せた電線・ケーブル２は、樹木によって摩耗することが、より効果的に防止されるので、電線・ケーブル２が摩耗して絶縁破壊に至ることを、より効果的に防ぐことが可能である。
【００１９】
また、保護カバー１の摩耗を抑えることができることから、その交換の頻度が低くなり、交換コストを抑えることができる。
【００２０】
次に本発明に係る保護カバーの実施の形態の他例について説明する。  
図２は電線・ケーブルに被せられた本例の保護カバーを示す斜視図である。
【００２１】
本例の保護カバー１０にあっては、前記のように研磨材粒子等により樹木を研磨するための研磨機能を持たせた前記カバー外周面４に、その研磨機能を向上させるため、凸部５が形成されている。この凸部５は、研磨効果を一層向上させるために先鋭形状とすることが好ましい。
【００２２】
カバー外周面４に凸部５を形成するための手段としては、例えば、前記研磨材粒子を凸部５が形成されるようにカバー外周面４に貼り付ける等の手段を挙げることができる。  
その他の構成については上記実施の形態の一例と同様であり、その説明を省略する。
【００２３】
このような本例の保護カバー１０によれば、凸部５を形成したカバー外周面４に接触して擦り合う樹木の研磨効果をより向上させることができる。そして、このような研磨効果は、凸部５を先鋭形状とすることにより、一層向上させることができる。
【００２４】
したがって、本例の保護カバー１０は、樹木による摩耗を一層効果的に抑えることができ、かかる保護カバー１０を被せた電線・ケーブル２の樹木による摩耗をより一層効果的に防止することができる。また、保護カバー１０の交換コストも一層低減させることができる。
【００２５】
なお、カバー外周面４に接触して擦り合う樹木の研磨効果をより向上させるため、凸部５の代わりに、図示しないが、カバー外周面４の表面を窪ませた凹部を形成してもよい。また、図示しないが、このような凹部と前記凸部５とをカバー外周面４に形成してもよい。
【図面の簡単な説明】
【００２６】
【図１】電線・ケーブルに被せられた本発明に係る保護カバーの実施の形態の一例を示す斜視図
【図２】電線・ケーブルに被せられた本発明に係る保護カバーの実施の形態の他例を示す斜視図
【符号の説明】
【００２７】
１，１０  保護カバー
２        電線・ケーブル
３        中空部
４        カバー外周面
５        凸部
【図１】
2005080390.tif 000003
【図２】
2005080390.tif 000004